【手続補正書】
【提出日】平成19年9月3日(2007.9.3)
【手続補正１】
【補正対象書類名】特許請求の範囲
【補正対象項目名】全文
【補正方法】変更
【補正の内容】
【特許請求の範囲】
【請求項１】
被印字媒体及びインクリボンを保持した第１のカセットと、インクリボンを保持した第２のカセットならびに前記被印字媒体とは異なる所定の被印字媒体とを選択的に収容する収容部と、
単一の印字手段と、
前記印字手段に向けて前記第１のカセット又は前記第２のカセットに保持されたインクリボンを送る搬送手段とを備え、
更に、装置本体には、前記所定の被印字媒体をリボン送り方向と平行な方向から前記収容部に挿入可能な挿入口を備えるとともに、前記所定の被印字媒体がリボン送り方向と垂直方向から前記収容部に挿入されることを阻止する挿入阻止手段を備えた印字装置であって、
前記印字手段の制御を行なう制御手段を備え、
前記制御手段は、前記収容部に前記第１のカセットが収容された場合に、前記印字手段により前記第１のカセットに保持されたインクリボンを介して前記第１のカセットに保持された被印字媒体に対して熱転写印字を行い、前記収容部に前記第２のカセットとともに前記所定の被印字媒体が収容された場合に、前記印字手段により前記第２のカセットに保持されたインクリボンを介して前記所定の被印字媒体に対して熱転写印字を行なうことを特徴とする印字装置。
【請求項２】
更に、前記収容部に収容されたカセットの種類を検出するカセット検出手段と、
前記収容部に前記所定の被印字媒体が収容されたことを検出する被印字媒体検出手段とを備えるとともに、
前記制御手段は、前記カセット検出手段及び前記被印字媒体検出手段からの情報に基づいて、前記印字手段の制御を行なうことを特徴とする請求項１に記載の印字装置。
【請求項３】
前記制御手段は、前記カセット検出手段が前記第１のカセットを検出し、前記被印字媒体検出手段が前記所定の被印字媒体を検出した場合には、エラー報知を行なうことを特徴とする請求項２に記載の印字装置。
【請求項４】
前記制御手段は、前記カセット検出手段が前記第１のカセットを検出し、前記被印字媒体検出手段が前記所定の被印字媒体を検出した場合には、前記印字手段の印字の制御を行なわないことを特徴とする請求項２に記載の印字装置。
【請求項５】
前記収容部に前記第１のカセットが収容された状態では、前記第１のカセットによって前記所定の被印字媒体の前記収容部への収容が干渉されるようにしたことを特徴とする請求項１に記載の印字装置。
【請求項６】
被印字媒体及びインクリボンを保持した第１のカセットと、インクリボンを保持した第２のカセットならびに前記被印字媒体とは異なる所定の被印字媒体とを選択的に収容する収容部と、
単一の印字手段と、
前記印字手段に向けて前記第１のカセット又は前記第２のカセットに保持されたインクリボンを送る搬送手段とを備え、
更に、装置本体には、前記所定の被印字媒体をリボン送り方向と平行な方向から前記収容部に挿入可能な挿入口を備えるとともに、前記所定の被印字媒体がリボン送り方向と垂直方向から前記収容部に挿入されることを阻止する挿入阻止手段を備えた印字装置であって、
前記第１のカセットに保持された被印字媒体に対して、前記第１のカセットに保持されたインクリボンにより印字する第１の印字モードの設定と、前記所定の被印字媒体に対して、前記第２のカセットに保持されたインクリボンにより印字する第２の印字モードの設定とを選択的に行うことが可能な印字モード設定手段と、
前記収容部に収容されたカセットの種類を検出するカセット検出手段と、
前記収容部に前記所定の被印字媒体が収容されたことを検出する被印字媒体検出手段と、
前記印字手段を制御する制御手段とを備え、
前記制御手段は、前記印字モード設定手段により第１の印字モードが設定され、かつ前記カセット検出手段により前記第１のカセットが検出された場合、及び前記印字モード設定手段により第２の印字モードが設定され、かつ前記カセット検出手段により前記第２のカセットが検出されるとともに前記被印字媒体検出手段により前記所定の被印字媒体が検出された場合に、前記印字手段を制御してそれぞれの印字モードに対応する印字の処理を行なうことを特徴とする印字装置。
【請求項７】
前記制御手段は、前記印字モード設定手段により第１の印字モードが設定されているときに、前記カセット検出手段により前記第１のカセットが検出されない場合、及び前記印字モード設定手段により第２の印字モードが設定されているときに、前記カセット検出手段により前記第２のカセットが検出されず、及び／又は前記被印字媒体検出手段により前記所定の被印字媒体が検出されない場合には、エラー報知を行なうことを特徴とする請求項６に記載の印字装置。
【請求項８】
前記制御手段は、前記印字モード設定手段により第１の印字モードが設定されているときに、前記カセット検出手段により前記第１のカセットが検出されない場合、及び前記印字モード設定手段により第２の印字モードが設定されているときに、前記カセット検出手段により前記第２のカセットが検出されず、及び／又は前記被印字媒体検出手段により前記所定の被印字媒体が検出されない場合には、前記印字手段の印字の制御を行なわないことを特徴とする請求項６に記載の印字装置。
【請求項９】
前記搬送手段は、単一の搬送手段であって、前記収容部に前記第１のカセットが収容された場合には、その第１のカセットに保持された被印字媒体及びインクリボンを前記印字手段に対して搬送し、前記収容部に前記第２のカセットとともに前記所定の被印字媒体が収容された場合には、その被印字媒体及び前記第２のカセットに保持されたインクリボンを前記印字手段に対して搬送することを特徴とする請求項１乃至８のいずれかに記載の印字装置。
【請求項１０】
前記印字手段は、所定の印字データにより発熱駆動される単一のサーマルヘッドを備え、
前記搬送手段は、回転駆動されることにより、前記第１のカセットに保持された被印字媒体及びインクリボンを、また前記所定の被印字媒体及び前記第２のカセットに保持されたインクリボンをそれぞれ重ねた状態で前記サーマルヘッドとの間に挟んで搬送する単一のプラテンローラを備えることを特徴とする請求項９に記載の印字装置。
【請求項１１】
前記第１のカセットが保持する被印字媒体は、印字用テープであり、
前記所定の被印字媒体は、ディスク状の記録媒体である、
ことを特徴とする請求項１乃至１０のいずれかに記載の印字装置。
【手続補正２】
【補正対象書類名】明細書
【補正対象項目名】００１１
【補正方法】変更
【補正の内容】
【００１１】
請求項１の発明は、被印字媒体及びインクリボンを保持した第１のカセットと、インクリボンを保持した第２のカセットならびに前記被印字媒体とは異なる所定の被印字媒体とを選択的に収容する収容部と、単一の印字手段と、前記印字手段に向けて前記第１のカセット又は前記第２のカセットに保持されたインクリボンを送る搬送手段とを備え、更に、装置本体には、前記所定の被印字媒体をリボン送り方向と平行な方向から前記収容部に挿入可能な挿入口を備えるとともに、前記所定の被印字媒体がリボン送り方向と垂直方向から前記収容部に挿入されることを阻止する挿入阻止手段を備えた印字装置であって、
前記印字手段の制御を行なう制御手段を備え、前記制御手段は、前記収容部に前記第１のカセットが収容された場合に、前記印字手段により前記第１のカセットに保持されたインクリボンを介して前記第１のカセットに保持された被印字媒体に対して熱転写印字を行い、前記収容部に前記第２のカセットとともに前記所定の被印字媒体が収容された場合に、前記印字手段により前記第２のカセットに保持されたインクリボンを介して前記所定の被印字媒体に対して熱転写印字を行なうことを特徴としている。
【手続補正３】
【補正対象書類名】明細書
【補正対象項目名】００１６
【補正方法】変更
【補正の内容】
【００１６】
請求項６の発明は、被印字媒体及びインクリボンを保持した第１のカセットと、インクリボンを保持した第２のカセットならびに前記被印字媒体とは異なる所定の被印字媒体とを選択的に収容する収容部と、単一の印字手段と、前記印字手段に向けて前記第１のカセット又は前記第２のカセットに保持されたインクリボンを送る搬送手段とを備え、更に、装置本体には、前記所定の被印字媒体をリボン送り方向と平行な方向から前記収容部に挿入可能な挿入口を備えるとともに、前記所定の被印字媒体がリボン送り方向と垂直方向から前記収容部に挿入されることを阻止する挿入阻止手段を備えた印字装置であって、
前記第１のカセットに保持された被印字媒体に対して、前記第１のカセットに保持されたインクリボンにより印字する第１の印字モードの設定と、前記所定の被印字媒体に対して、前記第２のカセットに保持されたインクリボンにより印字する第２の印字モードの設定とを選択的に行うことが可能な印字モード設定手段と、前記収容部に収容されたカセットの種類を検出するカセット検出手段と、前記収容部に前記所定の被印字媒体が収容されたことを検出する被印字媒体検出手段と、前記印字手段を制御する制御手段とを備え、前記制御手段は、前記印字モード設定手段により第１の印字モードが設定され、かつ前記カセット検出手段により前記第１のカセットが検出された場合、及び前記印字モード設定手段により第２の印字モードが設定され、かつ前記カセット検出手段により前記第２のカセットが検出されるとともに前記被印字媒体検出手段により前記所定の被印字媒体が検出された場合に、前記印字手段を制御してそれぞれの印字モードに対応する印字の処理を行なうことを特徴としている。
【手続補正４】
【補正対象書類名】明細書
【補正対象項目名】００１９
【補正方法】変更
【補正の内容】
【００１９】
請求項９の発明は、前記搬送手段は、単一の搬送手段であって、前記収容部に前記第１のカセットが収容された場合には、その第１のカセットに保持された被印字媒体及びインクリボンを前記印字手段に対して搬送し、前記収容部に前記第２のカセットとともに前記所定の被印字媒体が収容された場合には、その被印字媒体及び前記第２のカセットに保持されたインクリボンを前記印字手段に対して搬送することを特徴としている。